(57)【要約】      （修正有）【課題】裏返すと化粧パフ用素材、皮脂吸収用素材、汚れ除去用素材などの化粧用素材が露出する構造を備えることにより、携帯利便性又は多機能性のいずれか一方又は双方を有する優れた化粧用具を提供する。【解決手段】化粧用具Ａは、化粧用シート６とほぼ同形同大であって、内面側が化粧用シート６の化粧用素材と素材が異なる化粧パフ用素材よりなる基体１０に対して、基体１０の内面側の化粧パフ用素材と化粧用シート６の化粧用素材とが向き合うように化粧用シート６を重ね合わせ、基体１０の周囲に指挿入口４ａを除く化粧用シートの周囲を接合することにより袋部７を構成し、化粧シート６の内外を返すことにより、化粧用素材を露出するように構成したものである。【選択図】図１
0003144104.tif 000002
【実用新案登録請求の範囲】
【請求項１】
基体に対して、少なくとも内面側が化粧するのに適した化粧用素材である化粧用シートにより袋部を形成し、化粧用シートの内外を返すことにより化粧用素材が露出するように構成したことを特徴とする多機能化粧用具。
【請求項２】
化粧用シートが、当該化粧用シートを複数枚重ね合わせて構成され、各シートが各別に袋部を形成するようにしたことを特徴とする請求項１に記載の多機能化粧用具。
【請求項３】
最も外側が携帯に便利な素材で袋状をなすようにしたことを特徴とする請求項１又は２に記載の多機能化粧用具。
【請求項４】
化粧用素材が、化粧パフ用素材、皮脂吸収用素材又は汚れ除去用素材のいずれかであることを特徴とする請求項１〜３のいずれか１項に記載の多機能化粧用具。
【請求項５】
化粧用シートとほぼ同形同大であって、内面側が化粧用シートの化粧用素材と素材が異なる化粧パフ用素材よりなる基体に対して、基体の内面側の化粧パフ用素材と化粧用シートの化粧用素材とが向き合うように化粧用シートを重ね合わせ、基体の周囲に指挿入口を除く化粧用シートの周囲を接合することにより袋部を構成したことを特徴とする請求項１〜４のいずれか１項に記載の多機能化粧用具。
【請求項６】
下面がパフ用生地で構成され、上面に基体の半分近くの大きさの指収納用シートを重ね合わせ、指挿入口を除く指収納用シートの周囲と基体の周囲とを縫い合わせてなる指挿入ポケットを有する基体に対して、前記指収納用シートに対し、該指収納用シートとほぼ同形同大の化粧用シートを化粧用素材が指収納用シートに面するように重ね合わせ、指挿入ポケットの指挿入口を除く指収納用シートの周囲である基体の周囲に化粧用シートの周囲を接合することにより袋部を構成したことを特徴とする請求項１〜４のいずれか１項に記載の多機能化粧用具。
【考案の詳細な説明】
【技術分野】
【０００１】
本考案は、化粧用具に関し、特に、指を挿入して使用する多機能の化粧用具に関する。
【背景技術】
【０００２】
今日、女性の社会進出が目立って増加し、そのため化粧に関しての女性の生活習慣が変化してきている。すなわち、従来においては、化粧は家庭で行うものとされていたが、現在では、家庭はもとより外出先で行うことも常態化しているのが現状である。一方、化粧料は年々進化し、またメディアでの紹介により化粧方法が多様化して、化粧に必要な用具が増えてきている。そうすると化粧料や化粧用具等の化粧用品を携帯することは必要不可欠となり、化粧用コンパクトのように化粧料が収納され、蓋内側に鏡が配され、化粧パフ及びブラシ類を収納した携帯に便利でコンパクトな化粧用品が増えている。
【考案の開示】
【考案が解決しようとする課題】
【０００３】
しかしながら、上記のようなコンパクト化された化粧用品では、容器内の収納スペースが制限されて容器内に収納できる化粧用具が限定されるので、例えば好みや用途の違いによる別素材の化粧パフやブラシ類、皮脂を吸収するためのあぶら取り紙、汚れ除去のためのガーゼハンカチ等は収納できないため、別容器や小物入れに収納して携行しなければならず、必ずしも個々が満足できる化粧用具を携帯できていない。
【０００４】
そこで、本考案者は、鋭意研究を重ねた結果、裏返すと化粧パフ用素材、皮脂吸収用素材、汚れ除去用素材などの化粧用素材が露出する構造を備えることにより、１つの化粧用具で複数の機能を有することができ、携帯性に優れた多機能化粧用具を開発した。
【課題を解決するための手段】
【０００５】
本考案に係る第１の多機能化粧用具は、基体に対して、少なくとも内面側が化粧するのに適した化粧用素材である化粧用シートにより袋部を形成し、化粧用シートの内外を返すことにより化粧用素材が露出するように構成したことを特徴とするものである。なお、前記化粧用シートには布帛や合成樹脂製シートの他、スポンジ状のシートなども含まれる。このように構成したことにより、必要に応じて化粧用シートの内外を返すことにより、化粧用素材を露出させて化粧用具として使用することができ、不使用時には、化粧用シートを元に戻して、化粧用素材が露出しないようにできる。
【０００６】
また、上記第１の多機能化粧用具において、化粧用シートが、当該化粧用シートを複数枚重ね合わせて構成され、各シートが各別に袋部を形成するように構成し、化粧用シート毎に化粧用シートの化粧用素材が異なれば、化粧用素材を選択して化粧用シートの内外を返すことにより好みに応じた化粧用素材を露出させることができる。化粧料と化粧パフには相性があり、相性の良し悪しで化粧効果が変化する。例えば、１つの化粧用素材が短い毛丈のパフ生地とし、他の１つの化粧用素材を毛丈の長いパフ生地、あるいは１つの化粧用素材が綿のパフ生地とし、他の１つの化粧用素材をポリエステルのパフ生地というように生地の仕様や素材を変えることで使用者の好みの化粧効果に合わせたパフの使用が１つの化粧用具で可能となる。なお、従来から使用されている上面中央にリボンを架け渡した化粧パフにおいて、上面のパフ生地と下面のパフ生地とを異なる素材のものとし、リボンの架け渡しを上面から下面に変えることにより２種類の異なった材質の化粧パフとしての使用が可能となるが、化粧料が付着した一方のパフ生地面が手に接触することになるので、手が汚れる等の問題があった。本考案のように一方の面が化粧用素材で構成し、他方の面を化粧には使用しない通常の生地で構成すれば、化粧用素材の面に化粧料等を付着させて化粧に使用する場合、手に接触する側の面は化粧には使用しない通常の生地であるため、手が汚れるおそれがない。
【０００７】
また、上記第１の多機能化粧用具において、最も外側が携帯に便利な素材で袋状をなすように構成してもよい。すなわち、外面側を化粧用コンパクト等の保護袋として使用される通常の布地等のシート、例えば天然繊維や合成繊維により形成された織地、編地、不織布あるいは軟質合成樹脂シート及びそれらの積層体シートで構成すると、不使用時には化粧料が付着した化粧パフ等の化粧用素材が内面側に位置し、前記の通常の布地等のシートが外面側に位置することになるので、他のものに化粧料が付着するおそれがなく、また、化粧用シートの外面側を化粧ケース等に使用されるベルベット生地やＥＶＡ等の軟質合成樹脂シートにすることで、ケース機能を備えた化粧用具となる。さらに、化粧用シートの外面側を防水素材とし、内面側を吸水生地とすることにより、化粧水やクレンジング剤等を染み込ませておいて、専用ケースなしで手軽に持ち運べるスキンケア用の化粧用具とすることもできる。
【０００８】
上記の化粧用素材が、化粧パフ用素材、皮脂吸収用素材又は汚れ除去用素材のいずれかで構成すれば、化粧パフ用素材の場合には化粧パフとして、皮脂吸収用素材の場合には皮脂吸収用具として、汚れ除去用素材の場合には化粧用汚れ除去具として使用することができ、このように異なる化粧用素材を化粧用シート毎に備えて構成すると多機能性がさらに向上し、化粧パフ用素材と皮脂吸収用素材とを組み合わせた場合には、皮脂の除去・化粧パウダーの塗布といった化粧なおしの一連の流れを１つの化粧用具にてスムーズに行うことができる。また、１つの化粧用素材をスポンジとし、他の１つの化粧用素材を起毛状のパフ生地とした場合には、リキッドファンデーションからルースパウダーといった化粧の一連の流れを１つの化粧用具にてスムーズに行うことができる。さらに、化粧用シートの外面側又は内面側に種々のデザインを施すことにより、化粧用シートの内外を返す毎に化粧用具のデザインを変化させることができ、１つの化粧用具で２種類以上のデザインを持たせることができる。
【０００９】
上記のように本考案の多機能化粧用具を構成する化粧用シートは、その外面側の素材及び内面側の素材は、種々に変更可能であり、内面側素材が化粧用素材である他は特に限定されるものではない。なお、本考案に係る多機能化粧用具を少し大型に形成し、化粧用シートの外面側にポケットを設けてコンパクト等の化粧料容器を収納することができるように構成してもよい。
【００１０】
さらに、上記第１の多機能化粧用具において、化粧用シートとほぼ同形同大であって、内面側が化粧用シートの化粧用素材と素材が異なる化粧パフ用素材よりなる基体に対して、基体の内面側の化粧パフ用素材と化粧用シートの化粧用素材とが向き合うように化粧用シートを重ね合わせ、基体の周囲に指挿入口を除く化粧用シートの周囲を接合することにより袋部を構成すると、必要時に、化粧用シートの内外を返せば基体側の外面は化粧パフ用素材が露出することとなり、化粧用シート側の外面は化粧用素材が露出することとなる。なお、上記の接合には、縫着による接合の他、熱溶着、圧着及び接着剤による接合も含まれる。この場合において、化粧用シートの化粧用素材を化粧パフ用素材とすれば、露出した化粧パフ用素材が表裏で異なるので、２つのパフの機能を併せ持つ化粧パフとなる。また、不使用時においては、内外を返すことにより、化粧用素材が露出しないようにすることができ、専用ケースなしで携帯が可能となる。また、小さい小物入れとすることも可能であり、皮脂吸収用シートや汚れ除去用シートなどを収納してもよい。
【００１１】
さらにまた、上記第１の多機能化粧用具において、下面がパフ用生地で構成され、上面に基体の半分近くの大きさの指収納用シートを重ね合わせ、指挿入口を除く指収納用シートの周囲と基体の周囲とを縫い合わせてなる指挿入ポケットを有する基体に対して、前記指収納用シートに対し、該指収納用シートとほぼ同形同大の化粧用シートを化粧用素材が指収納用シートに面するように重ね合わせ、指挿入ポケットの指挿入口を除く指収納用シートの周囲である基体の周囲に化粧用シートの周囲を接合することにより袋部を構成すると、化粧用シートの内外を返すことにより、基体のパフ用生地の上に化粧用シートの化粧用素材が露出することになる。なお、上記の接合には、縫着による接合の他、熱溶着、圧着及び接着剤による接合も含まれる。
【考案の効果】
【００１２】
上記のように構成した本考案に係る多機能化粧用具は、裏返すと化粧パフ用素材、皮脂吸収用素材、汚れ除去用素材などの化粧用素材が露出する構造を備えているので、必要に応じて必要な化粧を行うことができ、多機能であって携帯に便利なものである。
【考案を実施するための最良の形態】
【００１３】
以下に、本考案に係る多機能化粧用具（以下、単に「化粧用具」という。）の好適な実施例を添付の図面に基づいて詳細に説明する。
【実施例１】
【００１４】
図１は実施例１に係る化粧用具の斜視図であり、図２は実施例１に係る化粧用具の側面図であり、図３は実施例１に係る化粧用具の断面図であり、図４は実施例１に係る化粧用具の化粧用シートの内外を返した状態における斜視図であり、図５は実施例１に係る化粧用具の化粧用シートの内外を返した状態における側面図であり、図６は実施例１に係る化粧用具の化粧用シートの内外を返した状態における断面図である。
【００１５】
本実施例における化粧用具Ａは、図１〜図３に示すように、基体１０に対して、この基体１０とほぼ同形同大の化粧用シート６により袋部７を形成したものである。すなわち、基体１０は、外面生地１とパフ用生地で構成された内面生地２との間にスポンジ体３を封入したものである。化粧用シート６は、その内面側を、基体１０の内面生地２とは素材が異なる化粧パフ用素材６ａで構成し、基体１０の内面生地２と化粧用シート６の化粧パフ用素材６ａとが向き合うように基体１０に対して化粧用シート６を重ね合わせ、基体１０の周囲に指挿入口４ａを除く化粧用シート６の周囲を縫い合わせることにより、袋部７が構成されている。なお、指挿入口４ａの周縁部には紐体４が設けられており、この状態における化粧用具Ａは、小物入れとして使用することが可能であり、指挿入口４ａから内部に皮脂吸収シートや汚れ除去シート等の小物を収納し、紐体４を絞ることにより、前記小物が袋部１７から脱落しないようになっている。
【００１６】
上記図１〜図３に示す状態から、化粧用シート６の内外を返せば、すなわち、化粧用具Ａの内外が逆になるように裏返せば、図４〜図６に示すように、基体１０の内面生地２と化粧用シート６の化粧パフ用素材６ａとが露出するので、両面が化粧パフとして使用することができる化粧用具となる。この場合において、基体１０の内面生地２と化粧用シート６の化粧パフ用素材６ａとの材質が異なるので、２つのパフの機能を併せ持つ化粧パフとなる。そして、化粧パフの使用後、図１〜図３に示す元の状態に戻せば、基体１０の内面生地２と化粧用シート６の化粧パフ用素材６ａとが露出しなくなるので、前記内面生地２や化粧パフ用素材６ａに付着した化粧料が他のものに付着することがないので、衛生的であり、使用上便利であり、かつ、携帯性に優れている。
【００１７】
なお、本実施例においては、基体１０として外面生地１とパフ用生地で構成された内面生地２とでスポンジ体３を封入した化粧パフを使用したが、これに限られるものではなく、化粧用シート６が前記のようにその内外を返せるものであれば、どのようなものでもよい。また、本実施例における化粧用シート６は、その内面側を前記の内面生地２とは素材が異なる化粧パフ用素材６ａで構成したが、スポンジ、あるいは皮脂吸収シートやガーゼ等の汚れ除去用素材で構成してもよい。さらに、本実施例においては１枚の化粧用シート６を使用したものを例示したが、この化粧用シート６を設けた方法と同様にして、化粧用シート６の上に他の化粧用シートを重ねて基体１０に縫着してもよく、その際には、他の化粧用シートは、前記化粧用シート６の内面側の化粧用素材とは異なる化粧用素材により、その内面側を構成すれば、機能性が向上する。
【００１８】
上記のように実施例１の化粧用具Ａは、これを構成する化粧用シート６は、その外面側の素材及び内面側の素材は、種々に変更可能であり、内面側素材が化粧用素材である他は特に限定されるものではない。なお、本考案に係る多機能化粧用具を少し大型に形成し、化粧用シートの外面側にポケットを設けてコンパクト等の化粧料容器を収納することができるように構成してもよい。
【実施例２】
【００１９】
図７は実施例２に係る化粧用具の斜視図であり、図８は実施例２に係る化粧用具の側面図であり、図９は実施例２に係る化粧用具の断面図であり、図１０は実施例２に係る化粧用具の化粧用シートの内外を返した状態における斜視図であり、図１１は実施例２に係る化粧用具の化粧用シートの内外を返した状態における側面図であり、図１２は実施例２に係る化粧用具の化粧用シートの内外を返した状態における断面図である。
【００２０】
本実施例における化粧用具Ｂは、図７〜図９に示すように、基体２０に対して、化粧用シート１６により袋部１７を形成したものである。すなわち、基体２０は、上面生地１１とパフ用生地で構成された下面生地１２との間にスポンジ体１３を封入し、上面生地１１に基体２０の半分近くの大きさの指収納用シート１４を重ね合わせ、指挿入口１４ａを除く指収納用シート１４の周囲と基体２０の周囲とを縫い合わせてなる指挿入ポケット１５を有するものである。化粧用シート１６は、前記指収納用シート１４とほぼ同形同大であって、その内面側の化粧用素材である皮脂吸収シート１６ａが指収納用シート１４に面するように重ね合わせ、指挿入ポケット１５の指挿入口１４ａを除く指収納用シート１４の周囲である基体２０の周囲に化粧用シート１６の周囲を縫い合わせることにより袋部１７が構成される。この状態における化粧用具Ｂは、指挿入口１４ａから指挿入ポケット１５に指を挿入し、下面生地１２であるパフ用生地を利用し、化粧パフとして使用する。
【００２１】
図１０〜図１２は、上記図７〜図９における化粧用具Ｂの状態において、化粧用シート１６の内外を返した状態、言い換えれば、化粧用シート１６を裏返しながら下面生地１２側に化粧用シート１６の内外を返した状態を示す。なお、図１０〜図１２においては、説明の便宜上、化粧用シート１６が上になるように描いた。
【００２２】
上記の状態において、化粧用シート１６の内面側である皮脂吸収シート１６ａが露出し、指挿入口１４ａから指挿入ポケット１５に指を挿入し、皮脂吸収シート１６ａを利用して、化粧なおしの際などに皮脂吸収用化粧用具として使用する。使用後は、図７〜図９に示す元の状態に戻せば、皮脂吸収シート１６ａが露出しないので、他のものに接触して皮脂が他のものに付着するようなことがなく、衛生的であり、使い勝手がよいものとなる。
【００２３】
なお、本実施例においては、基体２０として上面生地１１とパフ用生地で構成された下面生地１２とでスポンジ体１３を封入した、いわゆる縫製パフを使用したが、これに限られるものではなく、化粧用シート１６が前記のように内外に返すことができるものであれば、どのようなものでもよい。また、本実施例における化粧用シート１６は、その内面側を皮脂吸収シート１６ａで構成したが、基体２０における下面生地１２とは異なるパフ生地やスポンジ、あるいはガーゼ等の汚れ除去用素材で構成してもよい。さらに、本実施例においては１枚の化粧用シート１６を使用したものを例示したが、この化粧用シート１６を設けた方法と同様にして、化粧用シート１６の上に他の化粧用シートを重ねて基体２０に縫着してもよく、その際には、他の化粧用シートは、前記化粧用シート１６の内面側の化粧用素材とは異なる化粧用素材により、その内面側を構成すれば、機能性が向上する。
【００２４】
上記のように実施例２の化粧用具Ｂは、これを構成する化粧用シート１６は、その外面側の素材及び内面側の素材は、種々に変更可能であり、内面側素材が化粧用素材である他は特に限定されるものではない。なお、本考案に係る多機能化粧用具を少し大型に形成し、化粧用シートの外面側にポケットを設けてコンパクト等の化粧料容器を収納することができるように構成してもよい。
【図面の簡単な説明】
【００２５】
【図１】本考案の実施例１に係る化粧用具の斜視図である。
【図２】本考案の実施例１に係る化粧用具の側面図である。
【図３】本考案の実施例１に係る化粧用具の断面図である。
【図４】本考案の実施例１に係る化粧用具の化粧用シートの内外を返した状態における斜視図である。
【図５】本考案の実施例１に係る化粧用具の化粧用シートの内外を返した状態における側面図である。
【図６】本考案の実施例２に係る化粧用具の化粧用シートの内外を返した状態における断面図である。
【図７】本考案の実施例２に係る化粧用具の斜視図である。
【図８】本考案の実施例２に係る化粧用具の側面図である。
【図９】本考案の実施例２に係る化粧用具の断面図である。
【図１０】本考案の実施例２に係る化粧用具の化粧用シートの内外を返した状態における斜視図である。
【図１１】本考案の実施例２に係る化粧用具の化粧用シートの内外を返した状態における側面図である。
【図１２】本考案の実施例２に係る化粧用具の化粧用シートの内外を返した状態における断面図である。
【符号の説明】
【００２６】
Ａ・・・化粧用具
１・・・外面生地
２・・・内面生地
３・・・スポンジ体
４・・・紐体
４ａ・・指挿入口
６・・・化粧用シート
６ａ・・化粧パフ用素材
７・・・袋部
１０・・基体
Ｂ・・・化粧用具
１１・・上面生地
１２・・下面生地
１３・・スポンジ体
１４・・指収納用シート
１４ａ・指挿入口
１５・・指挿入ポケット
１６・・化粧用シート
１６ａ・皮脂吸収シート
１７・・袋部
２０・・基体
【図１】
0003144104.tif 000003
【図２】
0003144104.tif 000004
【図３】
0003144104.tif 000005
【図４】
0003144104.tif 000006
【図５】
0003144104.tif 000007
【図６】
0003144104.tif 000008
【図７】
0003144104.tif 000009
【図８】
0003144104.tif 000010
【図９】
0003144104.tif 000011
【図１０】
0003144104.tif 000012
【図１１】
0003144104.tif 000013
【図１２】
0003144104.tif 000014